(57)【要約】【課題】ドルフィンにおける杭として鋼管矢板壁を採用してその施工を合理化する。【解決手段】複数本の鋼管矢板１０をそれらが備える継手１２を介して連結して列をなすように水底地盤１に打設することによって、柱列状の鋼管矢板壁１１をその頭部が水面２上に突出するように形成し、該鋼管矢板壁の頭部に設けたコンクリートスラブにより鋼管矢板の頭部どうしを一体化せしめる。壁面の向きが異なる複数の鋼管矢板壁を形成してそれらの端部どうしもしくは中間部と端部とを継手を介して互いに連結し、それら一連の鋼管矢板壁の頭部どうしをコンクリートスラブにより一体化せしめる。【選択図】図１
2010285751.tif 000002
【特許請求の範囲】
【請求項１】
複数本の鋼管矢板をそれらが備える継手を介して連結して列をなすように水底地盤に打設することによって、柱列状の鋼管矢板壁をその頭部が水面上に突出するように形成し、該鋼管矢板壁の頭部にコンクリートスラブを設けて該コンクリートスラブにより前記鋼管矢板壁を形成している各鋼管矢板の頭部どうしを一体化せしめたことを特徴とする鋼管矢板式ドルフィン。
【請求項２】
請求項１記載の鋼管矢板式ドルフィンであって、
壁面の向きが異なる複数の鋼管矢板壁を形成するとともに、各鋼管矢板壁の端部どうしもしくは各鋼管矢板壁の中間部と端部とをそれら鋼管矢板壁を形成している鋼管矢板が備える継手を介して互いに連結してそれら鋼管矢板壁どうしを連続せしめ、かつそれら一連の鋼管矢板壁の頭部どうしを前記コンクリートスラブにより一体化せしめたことを特徴とする鋼管矢板式ドルフィン。
【発明の詳細な説明】
【技術分野】
【０００１】
本発明は船舶の係留施設であるドルフィンに係わり、特に鋼管矢板を水底地盤に打ち込んで形成した鋼管矢板壁を杭として機能させる鋼管矢板式ドルフィンに関する。
【背景技術】
【０００２】
周知のように、船舶の係留施設であるドルフィンは主に船舶の接岸時の水平力または係留時の船舶の動揺による水平力を受け止める構造物であって、図３に示すように水底地盤１に大径の杭３を複数（図示例では４本）打ち込んでそれらの頭部を水面２上に突出せしめ、杭頭部にコンクリートスラブ４を設けた杭構造とされることが最も一般的である。
【０００３】
また、特許文献１には、鋼管矢板を連結して周壁を閉鎖した構造物を水底地盤上に設けてその内部にコンクリートを中詰めするとともに、少数の鋼管杭を鋼管矢板内を通して水底地盤に打ち込むことによって、構造物の重量を利用する重力式のドルフィンと杭構造のドルフィンとを組み合わせたような複合構造のドルフィンについての開示がある。
【先行技術文献】
【特許文献】
【０００４】
【特許文献１】特開昭４９−８７１３２号公報
【発明の概要】
【発明が解決しようとする課題】
【０００５】
ところで、図３に示したような杭構造による従来一般のドルフィンは水面上での施工性に優れる利点がある反面、個々の杭３の曲げ剛性は必ずしも充分ではないことから、特に大型船を対象とするドルフィンの場合には杭３の曲げ剛性を充分に確保するために大径の杭３を設ける必要があるし、あるいは比較的小径の杭を用いる場合にはその所要本数が膨大になり、いずれにしてもコスト的にも施工性の点でも好ましくない。
【０００６】
また、特許文献１に示されるような複合構造のドルフィンは、鋼管矢板による筒状の構造物を設けるとはいえ水底地盤に対して少数の杭を打ち込むものでしかないので、その点では上記の杭構造によるものと同様の問題を残しており、また全体の構造が複雑に過ぎる点でも難があって普及するに至っていない。
【課題を解決するための手段】
【０００７】
上記事情に鑑み、本発明は鋼管矢板壁自体を高剛性の杭として機能させることによって従来のドルフィンにおける上記課題を解決するようにしたものである。
【０００８】
すなわち、請求項１記載の発明の鋼管矢板式ドルフィンは、複数本の鋼管矢板をそれらが備える継手を介して連結して列をなすように水底地盤に打設することによって、柱列状の鋼管矢板壁をその頭部が水面上に突出するように形成し、該鋼管矢板壁の頭部にコンクリートスラブを設けて該コンクリートスラブにより前記鋼管矢板壁を形成している各鋼管矢板の頭部どうしを一体化せしめたことを特徴とするものである。
【０００９】
また、請求項２記載の発明の鋼管矢板式ドルフィンは、請求項１記載の発明の鋼管矢板式ドルフィンにおいて、壁面の向きが異なる複数の鋼管矢板壁を形成するとともに、各鋼管矢板壁の端部どうしもしくは各鋼管矢板壁の中間部と端部とをそれら鋼管矢板壁を形成している鋼管矢板が備える継手を介して互いに連結してそれら鋼管矢板壁どうしを連続せしめ、かつそれら一連の鋼管矢板壁の頭部どうしを前記コンクリートスラブにより一体化せしめたことを特徴とするものである。
【発明の効果】
【００１０】
本発明の鋼管矢板式ドルフィンでは、各鋼管矢板が備える継手どうしが機械的に係合する状態で連結されたうえで個々の鋼管矢板の頭部どうしがコンクリートスラブにより一体に緊結され、複数の鋼管矢板壁を設ける場合には各鋼管矢板壁の頭部どうしもコンクリートスラブにより一体に緊結されるので、継手およびコンクリートスラブによるせん断剛性によって鋼管矢板壁の剛性は充分に高められる。
したがって個々の鋼管矢板が小径でありかつその本数が少ない場合であっても、それにより形成される鋼管矢板壁自体はその全体として充分に高剛性となって大口径の杭に匹敵する剛性を確保でき、大型船舶を対象とするドルフィンに要求される充分な剛性を発揮し得るものである。
【００１１】
また、本発明の鋼管矢板式ドルフィンは、各種の土木関連工事において多くの実績のある鋼管矢板およびその施工手法をそのまま用いて施工することが可能であって、何ら特殊な工法や施工機械を必要とするものでないから、大径の杭を必要としたりあるいは小径の杭を多数必要とする従来一般の杭構造のドルフィンや、特許文献１に示されるような特殊な複合構造のドルフィンを施工する場合に比べて、施工性および経済性を充分に改善することが可能である。
【図面の簡単な説明】
【００１２】
【図１】本発明の鋼管矢板式ドルフィンの一実施形態を示す図である。
【図２】同、他の実施形態を示す図である。
【図３】従来一般の杭構造によるドルフィンを示す図である。
【発明を実施するための形態】
【００１３】
本発明の一実施形態を図１に示す。これは図３に示した従来のドルフィンと同様に杭構造によるものであるが、通常の杭に代えて小径の鋼管矢板１０により形成した柱列状の鋼管矢板壁１１を杭として機能させるようにしたものである。
【００１４】
すなわち、本実施形態のドルフィンは、複数本（図示例では６本）の鋼管矢板１０が継手１２を介して連結されつつ水底地盤１に打設されることによって、頭部が水面２上に突出する鋼管矢板壁１１が形成され、そのような鋼管矢板壁１１が間隔をおいて平行に２面設けられてそれらの頭部にコンクリートスラブ４が一体に設けられた構造とされている。
【００１５】
上記の鋼管矢板壁１１は、各鋼管矢板１０が備える継手１２どうしが機械的に係合する状態で連結され、また個々の鋼管矢板１０の頭部どうしがコンクリートスラブ４により一体に緊結された状態で形成されるため、それら継手１２およびコンクリートスラブ４によるせん断剛性によって各鋼管矢板１０が堅固に連結されて全体として１面の剛体の壁として機能するものとなる。
したがって、鋼管矢板壁１１の壁厚や幅がさほど大きくなくとも、つまりその鋼管矢板壁１１を形成している個々の鋼管矢板１０が小径でありかつその本数が少ない場合であっても、鋼管矢板壁１１全体としては通常の大口径の杭に匹敵する剛性を確保でき、大型船舶を対象とするドルフィンに要求される充分な剛性を発揮し得るものである。
【００１６】
そのため、本実施形態のドルフィンは、図３に示したように大径の杭３を必要としたり、あるいは比較的小径の杭を用いる場合には膨大な杭を必要とする従来一般の杭構造のドルフィンに比べて、杭に係わる施工を充分に合理化できるものであるし、またその施工自体は従来一般の鋼管矢板とその施工法をそのまま採用可能であって何ら特殊な工法や施工機械を必要とするものでないから、在来の杭構造のドルフィンや特許文献１に示されるような複合構造のドルフィンを施工する場合に比べて充分なコスト削減を図ることができる。
【００１７】
なお、鋼管矢板壁１１は図１（ｂ）に示しているようにドルフィンに作用する水平力と平行な方向に設ける（つまり、鋼管矢板１０をその水平力に平行な方向に配列する）ことが好ましく、通常は図１に示すように２面の鋼管矢板壁１１をその方向に沿うように平行に設けてそれらによりコンクリートスラブ４の両端部を支持する形態とすることで充分であるが、水平力の方向が限定されない場合、あるいは特に大きな水平力が作用するような場合には、必要に応じてたとえば図２（ａ）〜（ｃ）に示すように壁面の方向や大きさが異なる他の鋼管矢板壁１３〜１５を適宜組み合わせてそれらの全体で各方向の剛性をより高めるようにすれば良い。
【００１８】
図２（ａ）に示すものは、図１に示した２面の鋼管矢板壁１１に加えて、４本の鋼管矢板１０からなる２面の鋼管矢板壁１３を鋼管矢板壁１１の両端部の位置でそれらに直交する方向に形成し、それら鋼管矢板壁１１，１３の端部どうしを直交状態で連結することによって、全体として角形筒状となるように組み合わせたものである。
【００１９】
図２（ｂ）は、図１に示した２面の鋼管矢板壁１１に加えて、それらの間に４本の鋼管矢板１０からなる１面の鋼管矢板壁１４を鋼管矢板壁１１の中間部の位置でそれらに直交する方向に形成し、その鋼管矢板壁１４の両端部を鋼管矢板壁１１の中間部に直交状態で連結して全体として「Ｈ」形ないし「工」形となるように組み合わせたものである。
【００２０】
図２（ｃ）は、図１に示した２面の鋼管矢板壁１１に加えて、２本の鋼管矢板１０からなる小幅の鋼管矢板壁１５を形成して、その一端部を上記の鋼管矢板壁１１の中間部に連結することにより、それぞれの鋼管矢板壁１１に対して２面ずつの鋼管矢板壁１５を控え壁として機能するように組み合わせたものである。
【００２１】
また、必要であればさらに様々な形態で鋼管矢板壁を組み合わせることも可能であり、たとえば図２（ａ）に示したような角形筒状とすることに代えて円形筒状あるいは多角形筒状としたり、さらには井桁状や「田」の字状とすることも考えられる。
勿論、いずれの場合も、鋼管矢板壁１１に対する鋼管矢板壁１３，１４，１５の連結は、鋼管矢板１０が備えている継手１２により行えば良いから、その施工が特に面倒になることもない。
【符号の説明】
【００２２】
１  水底地盤
２  水面
４  コンクリートスラブ
１０  鋼管矢板
１１  鋼管矢板壁
１２  継手
１３  鋼管矢板壁
１４  鋼管矢板壁
１５  鋼管矢板壁
【図１】
2010285751.tif 000003
【図２】
2010285751.tif 000004
【図３】
2010285751.tif 000005